(57)【要約】【課題】  拡散板の端部に入射する光の量を調整して、輝度ムラをなくすことができるバックライト装置及び液晶表示装置を提供する。また、反射板で反射した後、拡散板に入射する光の光路長を長くすることで、色ムラをなくすことができるバックライト装置及び液晶表示装置を提供する。【解決手段】  透過型の液晶表示パネルを背面側から照明するバックライト装置において、光源から出射される光を反射する反射部に、前記光源側に向かって傾斜する傾斜部を設けるようにバックライト装置を構成する。【選択図】  図４
2006301210.tif 000002
【特許請求の範囲】
【請求項１】
透過型の液晶表示パネルを背面側から照明するバックライト装置であって、
光源から出射される光を反射する反射部に、前記光源側に向かって傾斜する傾斜部を設けたこと
を特徴とするバックライト装置。
【請求項２】
前記傾斜部に設けられた傾斜面の傾斜角度が１０度〜３０度の範囲であること
を特徴とする請求項１記載のバックライト装置。
【請求項３】
前記光源は、光源から発する光を側面から出射させる光学部品が設けられた側面出射発光ダイオードであること
を特徴とする請求項１記載のバックライト装置。
【請求項４】
透過型の液晶表示パネルを背面側から照明するバックライト装置であって、
光源から出射される光を反射する反射部に、前記光源から出射される光を光源側へ反射させるための突部を設けたこと
を特徴とするバックライト装置。
【請求項５】
前記光源は、光源から発する光を側面から出射させる光学部品が設けられた側面出射発光ダイオードであること
を特徴とする請求項４記載のバックライト装置。
【請求項６】
透過型の液晶表示パネルと、この透過型液晶パネルを背面側から照明するバックライト装置とからなる液晶表示装置であって、
前記バックライト装置は、光源から出射される光を反射する反射部に、前記光源側に向かって傾斜する傾斜部を設けたこと
を特徴とする液晶表示装置。
【発明の詳細な説明】
【技術分野】
【０００１】
本発明は、液晶パネル等に光を照射して画像を表示するために用いられるバックライト装置及びそのバックライト装置を用いた液晶表示装置に関し、詳しくは、輝度ムラ、色ムラを少なくしたバックライト装置及び液晶表示装置に関する。
【背景技術】
【０００２】
例えば、冷陰極放電管のランプから出射した光を液晶表示パネルに照射して画像を表示させるバックライト装置及び液晶表示装置が知られている。また、出射した光を効率よく液晶表示パネルに照射するため、光を反射させる側面反射板を用い、その側面反射板を、液晶表示パネルの下方に設けられた拡散板に向けて傾けるように構成したバックライト装置及び液晶表示装置が知られている（特許文献１参照）。
【０００３】
図１０は、光源として複数の発光ダイオードを用いたバックライト装置の断面を上方から見たものである。このように、液晶パネルを照射する光の光源として、複数の発光ダイオード３２１を用い、その発光ダイオードを実装した複数本の基板３２２を、バックライトの筐体３２０の内部に並べて配置したバックライト装置及び液晶表示装置が知られている。
【特許文献１】特開２００２−３１１４１８号
【発明の開示】
【発明が解決しようとする課題】
【０００４】
しかし、図１１（ｂ）に示すように、発光ダイオード３２１を実装した基板３２２をバックライトの筐体内部に配置し、側面反射板３１０を拡散板３４１に傾けるようにしたバックライト装置においては、発光ダイオード３２１から出射した光のうち、拡散板３４１に近い位置の反射板３１０で反射した光は、矢印に示すように上向きに反射して、そのまま拡散板３４１の端部付近に入射する。その結果、拡散板の端部位置Ａにおける光の光量が増加し、端部から少し内側に入った位置Ｂにおける入射光の光量との差が大きくなる。
【０００５】
また、図１１（ａ）に示すように、バックライト筐体３２０の中央部位置Ｃでは、隣り合う基板３２２の発光ダイオードから出射した光が互いに足しあわされるため、拡散板３４１に入射する光の光量は大きくなる。従って、端部付近Ａの光量及び中央部付近Ｃの光量と、端部から少し内側の位置Ｂとで生じる光量の差が原因となり、図１０に示すように、バックライト筐体の側板に近接する基板３２２ａと側板３２０ａとの間には暗部（輝度ムラ）が発生する。
【０００６】
また、拡散板３４１に近い位置の反射板３１０で反射した光は、反射した後にすぐに拡散板３４１に入射するため、反射板３１０で反射した位置から拡散板３４１へ入射するまでの距離が短く、反射した光の光路長が短くなる。そのため、赤色光、青色光、緑色光の混色がうまく行われず、拡散板の端部付近では、発光ダイオードの色がそのまま表示パネルに現れて色ムラが発生するという問題がある。
【０００７】
本発明は、上述の点を考慮し、拡散板の端部に入射する光の量を調整して、表示パネルの輝度ムラをなくすことができるバックライト装置及び液晶表示装置を提供するものである。また、反射板で反射した後、拡散板に入射する光の光路長を長くすることで、表示パネルの色ムラをなくすことができるバックライト装置及び液晶表示装置を提供するものである。
【課題を解決するための手段】
【０００８】
本発明に係るバックライト装置は、透過型の液晶表示パネルを背面側から照明するバックライト装置であって、光源から出射される光を反射する反射部に、前記光源側に向かって傾斜する傾斜部を設けた構成とする。
【０００９】
本発明に係るバックライト装置は、透過型の液晶表示パネルを背面側から照明するバックライト装置であって、光源から出射される光を反射する反射部に、前記光源から出射される光を光源側へ反射させるための突部を設けた構成とする。
好ましくは、傾斜部に設けられた傾斜面の傾斜角度が１０度〜３０度の範囲であることが適当である。
さらに好ましくは、光源は、光源から発する光を側面から出射させる光学部品が設けられた側面出射発光ダイオードであることが適当である。
【００１０】
本発明に係る液晶表示装置は、透過型の液晶表示パネルと、この透過型液晶パネルを背面側から照明するバックライト装置とからなる液晶表示装置であって、前記バックライト装置は、光源から出射される光を反射する反射部に、前記光源側に向かって傾斜する傾斜部を設けた構成とする。
【００１１】
本発明は、拡散板の端部に入射する光の量を減らして、拡散板へ入射する光の量を調整するものである。また、拡散板に入射する光の光路長を長くすることで、赤色光、青色光、緑色光の混色を充分に行うものである。
【発明の効果】
【００１２】
本発明に係るバックライト装置によれば、拡散板に入射する光の量を調整することで、輝度ムラを少なくする照射を行うことができる。また、本発明に係るバックライト装置によれば、拡散板に入射する光の光路長を長くすることで、赤色光、青色光、緑色光の混色を行い、色ムラを少なくする照射を行うことができる。
【００１３】
本発明に係る液晶表示装置によれば、拡散板に入射する光の量を調整することで、輝度ムラを少なくすることができる。また、本発明に係るバックライト装置によれば、拡散板に入射する光の光路長を長くすることで、赤色光、青色光、緑色光の混色を行い、色ムラを少なくすることができる。
【発明を実施するための最良の形態】
【００１４】
以下、本発明に係るバックライト装置及び液晶表示装置を実施するための最良の形態の例を説明するが、本発明は以下の例に限定されるものではない。
本発明は、例えば図１に示すような構成の液晶表示装置としての透過型のカラー液晶表示装置１００に適用することができる。この透過型カラー液晶表示装置１００は、透過型のカラー液晶表示パネル１１０と、このカラー液晶表示パネル１１０の背面側に設けられたバックライト装置１４０とからなる。また、図示しないが、この透過型カラー液晶表示装置１００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【００１５】
透過型のカラー液晶表示パネル１１０は、ガラス等で構成された２枚の透明な基板（ＴＦＴ基板１１１、対向電極基板１１２）を互いに対向配列させ、その間隙に、例えば、ツイステッドネマチック（ＴＮ）液晶を封入した液晶層１１３を設けた構成となっている。ＴＦＴ基板１１１には、マトリックス状に配列された信号線１１４と、走査線１１５と、この信号線１１４、走査線１１５の交点に配列されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。
【００１６】
カラーフィルタ１１９は、各画素に対応した複数のセグメントに分割されている。例えば、図２に示すように、３原色である赤色フィルタＣＦＲ、緑色フィルタＣＦＧ、青色フィルタＣＦＢの３つのセグメントに分割されている。カラーフィルタ１１９の配列パターンは、図２に示すようなストライプ配列の他に、図示しないが、デルタ配列、正方配列などがある。
【００１７】
再び、図１を用いて、透過型カラー液晶表示装置１００の構成について説明をする。透過型カラー液晶表示装置１００は、このような構成の透過型のカラー液晶表示パネル１１０を２枚の偏光板１３１，１３２で挟み、バックライト装置１４０により背面側から白色光を照射した状態で、アクティブマトリックス方式で駆動することによって、所望のフルカラー映像を表示させることができる。
【００１８】
バックライト装置１４０は、上記カラー液晶表示パネル１１０を背面側から照明する。図１に示すように、バックライト装置１４０は、ここでは図示していない光源や、光源から出射された光を白色光へと混色するためにバックライト筐体部１２０内に、拡散板１４１、拡散板１４１上に重ねて配列される拡散シート１４２、プリズムシート１４３、偏光変換シート１４４といった光学機能シート群１４５などを備えた構成となっている。
【００１９】
拡散板１４１は、バックライト筐体部１２０から出射された光を内部拡散させることで、面発光における輝度の均一化を行う。
一般に、光学機能シート群１４５は、例えば、入射光を直交する偏光成分に分解する機能、光波の位相差を補償して広角視野角化や着色防止を図る機能、入射光を拡散させる機能、輝度向上を図る機能などを備えたシートで構成されており、バックライト装置１４０から面発光された光をカラー液晶表示パネル１１０の照明に最適な光学特性を有する照明光に変換するために設けられている。したがって、光学機能シート群１４５の構成は、上述した拡散シート１４２、プリズムシート１４３、偏光変換シート１４４に限定されるものではなく、様々な光学機能シートを用いることができる。
【００２０】
図３に、バックライト筐体部１２０内の概略構成図を示す。この図３に示すように、バックライト筐体部１２０は、赤色光を発光する赤色発光ダイオード２１Ｒ、緑色光を発光する緑色発光ダイオード２１Ｇ、青色光を発光する青色発光ダイオード２１Ｂを光源として用いている。例えば、赤色発光ダイオード２１Ｒで発光される赤色光、緑色発光ダイオード２１Ｇで発光される緑色光、青色発光ダイオード２１Ｂで発光される青色光のピーク波長は、それぞれ６４０ｎｍ、５３０ｎｍ、４５０ｎｍ程度とされる。赤色発光ダイオード２１Ｒ、青色発光ダイオード２１Ｂで発光される赤色光、青色光のピーク波長は、それぞれ６４０ｎｍから長波長側へ、４５０ｎｍから短波長側へシフトしてもよい。このようにピーク波長を、長波長側、短波長側へシフトさせると、色域を広げることができるため、カラー液晶表示パネルに表示させる画像の色再現範囲を拡大することができる。
なお、以下の説明において、赤色発光ダイオード２１Ｒ、緑色発光ダイオード２１Ｇ、青色発光ダイオード２１Ｂを総称する場合は、単に発光ダイオード２１と呼ぶ。
【００２１】
発光ダイオード２１は、光源から発せられた光を側面から放射させる光学部品２１ａを備えており、  発光ダイオード２１から出射された光は、図８（ａ）に示すような光路で出射される。また、発光ダイオード２１は、図８（ｂ）に示すような放射指向特性を有している。
【００２２】
この発光ダイオード２１を、図３に示すように、基板２２上に所望の順番で列状に複数配列させることで、発光ダイオードユニット２１ｎ（ｎは、自然数。）が形成される。
発光ダイオードユニット２１ｎを形成するために、基板２２上に発光ダイオード２１を配列する順番は、図３に示すような、赤色発光ダイオード２１Ｒ、緑色発光ダイオード２１Ｇ、青色発光ダイオード２１Ｂを繰り返し単位とする最も基本的な配列の仕方や、図示しないが、例えば、緑色発光ダイオード２１Ｇを等間隔で配列させ、隣り合う緑色発光ダイオード２１Ｇの間に、赤色発光ダイオード２１Ｒ、青色発光ダイオード２１Ｂを交互に配列させるような順番など様々な配列の仕方がある。
【００２３】
バックライト筐体部１２０内への発光ダイオードユニット２１ｎの配列の仕方は、図３に示すように、発光ダイオードユニット２１ｎの長手方向が、水平方向となるように配列する。なお、発光ダイオードユニット２１ｎの長手方向を、水平方向に配列する手法は、従来までのバックライト装置の光源として利用していたＣＣＦＬの配列の仕方と同じになるため、蓄積された設計ノウハウを利用することができ、コストの削減や、製造までに要する時間を短縮することができる。
【００２４】
バックライト筐体部の側板１２０ａの内側には、発光ダイオード２１から発光された光の利用効率を高めるために反射加工がなされた反射部１０が、側板１２０ａに沿うように形成されている。反射部１０は、例えば、高い光反射性を有するポリカーボネイトなどで形成されている。また、側板１２０ａの内側表面に、光反射性を有するシート等を貼り付けるようにして、反射部１０を形成するようにしてもよい。
【００２５】
図４に、透過型カラー液晶表示装置１００を組み上げた際に、図１に示す透過型カラー液晶表示装置１００に付したＸＸ線で切断した際の断面図を一部示す。
図４に示すように、液晶表示装置１００を構成するカラー液晶表示パネル１１０は、透過型カラー液晶表示装置１００の外部筐体となる外部フレーム１０１と、内部フレーム１０２とによって、スペーサ１０３ａ，１０３ｂを介して挟み込むように保持される。また、外部フレーム１０１と、内部フレーム１０２との間には、ガイド部材１０４が設けられており、外部フレーム１０１と、内部フレーム１０２によって挟まれたカラー液晶表示パネル１１０が長手方向へずれてしまうことを抑制している。
【００２６】
一方、透過型カラー液晶表示装置１００を構成するバックライト装置１４０は、上述したように光学機能シート群１４５が積層された拡散板１４１と、光源である発光ダイオードを２１を覆うようにして設けられた、各発光ダイオード２１から出射された赤色光、緑色光、青色光を混色させるための拡散導光板（ダイバータプレート）１４７とを備えている。また、拡散導光板１４７と、バックライト筐体部１２０との間には、反射シート１２６が配されている。拡散導光板１４７は、混色機能を有しており、発光ダイオード２１から出射された光および反射シート１２６で反射された光を分散させる。
【００２７】
反射シート１２６は、その反射面が、拡散導光板１４７の光入射面１４７ａと対向するように、且つ発光ダイオード２１の発光方向よりもバックライト筐体部１２０側となるように配されている。反射シート１２６は、例えば、シート基材上に銀反射膜、低屈折率膜、高屈折率膜を順に積層することで形成された銀増反射膜などを用いることができる。またこの反射シート１２６は、主に発光ダイオード２１から発光され、その放射角度分布によって下向きに放射された光などを反射する。
【００２８】
バックライト筐体部の側板１２０ａの内側には、発光ダイオード２１から出射された光を反射するための反射部としての反射板１０が設けられている。なお、この反射板１０は、反射部の一例であり、反射部をバックライト筐体部１２０の内壁面に直接形成するようにしてもよい。
【００２９】
反射板１０には、反射シート１２６と拡散導光板１４７との距離、拡散導光板１４７と光学機能シート群１４５が積層された拡散板１４１との距離を所定の間隔を保ちながら、反射シート１２６、拡散導光板１４７、拡散板１４１を保持するための部位が設けられている。
【００３０】
拡散導光板１４７と拡散板１４１との間にできる空間に対する反射板１０の部位には、傾斜部１０ａが設けられている。傾斜部１０ａには、発光ダイオード２１が配設された位置に向かって傾斜するような傾斜面１０ｂが設けられている。また、傾斜面１０ｂの上部は、拡散板１４１の下面と接するように形成されている。傾斜面１０ｂの下方は、傾斜を有していない面１０ｃと連続しており、その面１０ｃの下方には、空間の内部にのびるような突起１１が形成されている。この突起１１の下面は、拡散導光板１４７の上面と接するように形成されている。
【００３１】
図５（ａ）は、拡散板１４１に入射する光の光量分布を示した図であり、縦軸は拡散板に入射する光の量を示し、横軸は拡散板１４１の端部からの位置を示す。図５（ｂ）は、発光ダイオード２１から出射した光が、反射板１０の傾斜部１０ａで反射する様子を、矢印Ｌ１で模式的に示す図である。発光ダイオード２１から出射した光は、反射板１０に設けられた傾斜部１０ａの表面で反射して、拡散板１４１の端部付近Ａよりも少し内側へ入った部分Ｂに入射する。
【００３２】
このように、発光ダイオード２１から出射した光が、拡散板１４１の端部位置Ａではなく、端部位置よりもさらに内側の位置Ｂへ入射するようにしたので、表示パネルにおける端部位置Ａでの光量が少なくなるとともに、端部より少し離れた内側の位置Ｂでの光量が増えるため、図５（ａ）に示すように、位置Ａ及び位置Ｂでの光量が略等しくなる。これにより、表示パネルにおける輝度分布が等しくなるので、表示パネルの輝度ムラをなくすことができる。また、図５（ｂ）に示すように、反射部１０ａで反射した光が拡散板１４１に入射するまでの光路が長くなるので、赤色光、緑色光、青色光がよく混ざるようになり、表示パネルの色ムラをなくすことができる。
【００３３】
図６（ａ）は、反射板１０に設けられた傾斜部１０ａの拡大図である。
本実施の形態では、傾斜部１０ａに設けられた傾斜の角度θは、１０度〜３０度の範囲で設定するが、特に２０度となるように設定することが望ましい。傾斜の角度を３０度以上に設定すると、傾斜部１０ａの拡散板１４１と接触する部分の高さＤが大きくなる。そのため、傾斜部１０ａが拡散板１４１を覆う範囲が増えるので、表示パネルの光量を維持するために拡散板１４１を大きくしなければならないという問題が生じる。また、傾斜部１０ａの傾斜の角度を１０度以下とすると、傾斜部１０ａで反射した光が傾斜板１４１の端部付近Ａに入射してしまうため、輝度ムラの発生を防止することができない。
ここで、傾斜部１０ａに設けられた傾斜の角度θとは、傾斜部１０ａの傾斜面１０ｂと、傾斜板１０の平坦面１０ｃとがなす角度をいう。
【００３４】
また、反射板１０において、拡散板１４１の下面と接する位置と拡散導光板１４７との距離をＬとすると、反射板１０に傾斜部１０ａが形成される部分の長さが１／２Ｌ以上となるように傾斜部１０ａを形成する。これにより、傾斜部１０ａにおいて、十分な量の光を拡散板１４１の端部よりも内側に反射させることができる。
【００３５】
図６（ｂ）は、反射部１０に設けられた傾斜部の他の実施の形態を示す図である。
傾斜面１０ｂ’は、拡散導光板１４７と拡散板１４１との間にできる空間に対する反射板１０の部位のすべてにわたるように形成する。これにより、傾斜部１０ａ’において、十分な量の光を拡散板１４１の端部よりも内側に反射させることができる。
【００３６】
図７は、本発明のバックライト装置において、反射板１０に発光ダイオード２１から出射される光を発光ダイオード側へ反射させる突部を場合の断面図であり、発光ダイオード２１から出射した光が突部１１で反射する様子を矢印Ｌ２で模式的に示した図である。
発光ダイオード２１から出射した光は、反射板１０に設けられた突部１１の下面で反射して、発光ダイオード２１が位置している方向へ反射する。このように、発光ダイオード２１から出射して、拡散導光板１４７の端部に入射する光が、そのまま拡散導光板１４７を通過するのではなく、反射板１０に設けられた突部１１によって発光ダイオード２１側へ戻るように反射させられるので、上方に設けられている表示パネルの端部にそのまま発光ダイオード２１の光が入射することがなく、色の輝度ムラをなくすことができる。また、突部１１で反射した光が、拡散板１４１に入射するまでの光路が長くなるので、赤色光、緑色光、青色光がよく混ざるようになるため、色ムラをなくすことができる。
【００３７】
また、図７に示すように、反射板１０に設けられた突部１１の下面が、拡散導光板１４７の上面に接するように設けられているが、この突起１１の長さは、破線ａで示す拡散導光板１４７の端部位置を基準として、１．５ｍｍから７．０ｍｍ程度内側へ延びるように形成する。これにより、突部１１によって生じる影が表示パネル等に映されることなく、突部１１で光を反射することができる。
【００３８】
上述したように、本実施の形態における反射板１０は、バックライト筐体の側板１２０ａの内側に沿って設けられているが、バックライト筐体部の側板１２０ａのうち、基板２２の長手方向に沿った位置の側板１２０ａ−１に沿ってのみ設けるようにしてもよい。基板２２の長手方向の位置とバックライト筐体の側板１２０ａ−１の間には、バックライト筐体の裏側に取り付けるファン等を固定するネジ穴等を設けるためのスペースが必要であり、そのため基板２２と側板１２０ａ−１との間には一定の間隔を設ける必要がある。一定の間隔を設けることで、特に端部付近で暗部が生じやすくなるが、上記の構成とすることにより、発光ダイオードから出射された光を反射板１０の傾斜部１０ａで効率よく反射することができ、側板１２０ａ−１と基板２２との間における暗部（輝度ムラ）を無くすことができる。
【００３９】
このような構成の透過型カラー液晶表示装置１００は、例えば、図９に示すような駆動回路２００により駆動される。駆動回路２００は、カラー液晶表示パネル１１０や、バックライト装置１４０の駆動電源を供給する電源２１０、カラー液晶表示パネル１１０を駆動するＸドライバ回路２２０及びＹドライバ回路２３０を備えている。さらに駆動回路２００は、外部から供給される映像信号や、当該透過型カラー液晶表示装置１００が備える図示しない受信部で受信され、映像信号処理部で処理された映像信号が、入力端子２４０を介して供給されるＲＧＢプロセス処理部２５０、このＲＧＢプロセス処理部２５０に接続された画像メモリ２６０及び制御部２７０、バックライト装置１４０を駆動制御するバックライト駆動制御部２８０などを備えている。
【００４０】
この駆動回路２００において、入力端子２４０を介して入力された映像信号は、ＲＧＢプロセス処理部２５０により、クロマ処理などの信号処理がなされる、さらに、信号処理された映像信号は、コンポジット信号からカラー液晶表示パネル１１０の駆動に適したＲＧＢセパレート信号に変換されて、制御部２７０に供給されるとともに、画像メモリ２６０を介してＸドライバ２２０に供給される。
【００４１】
また、制御部２７０は、上記ＲＧＢセパレート信号に応じた所定のタイミングで、Ｘドライバ回路２２０及びＹドライバ回路２３０を制御して、上記画像メモリ２６０からの映像信号とともにＸドライバ回路２２０に供給されるＲＧＢセパレート信号で、カラー液晶表示パネル１１０を駆動することにより、上記ＲＧＢセパレート信号に応じた映像を表示する。
【００４２】
バックライト駆動制御部２８０は、電源２１０から供給される電圧から、パルス幅変調（ＰＷＭ）信号を生成し、バックライト装置１４０の光源である各発光ダイオード２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード２１を駆動し、色の変化を抑える必要がある。
ユーザインターフェース３００は、上述した図示しない受信部で受信するチャンネルを選択したり、同じく図示しない音声出力部で出力させる音声出力量を調整したり、カラー液晶表示パネル１１０を照明するバックライト装置１４０からの白色光の輝度調節、ホワイトバランス調節などを実行するためのインターフェースである。
例えば、ユーザインターフェース３００から、ユーザが輝度調節をした場合には、駆動回路２００の制御部２７０を介してバックライト駆動制御部２８０に輝度制御信号が伝わる。バックライト駆動制御部２８０は、この輝度制御信号に応じて、パルス幅変調信号のデューティ比を、赤色発光ダイオード２１Ｒ、緑色発光ダイオード２１Ｇ、青色発光ダイオード２１Ｂ毎に変えて、赤色発光ダイオード２１Ｒ、緑色発光ダイオード２１Ｇ、青色発光ダイオード２１Ｂを駆動制御することになる。
【図面の簡単な説明】
【００４３】
【図１】図１は、本発明を実施するための最良の形態として示すカラー液晶表示装置の一例の概略分解斜視構成図である。
【図２】図２は、本発明を実施するための最良の形態として示すカラー液晶表示装置が備えるカラー液晶表示パネルのカラーフィルタの一例の概略平面構成図である。
【図３】図３は、本発明を実施するための最良の形態として示すカラー液晶表示装置が備えるバックライト装置の概略斜視構成図である。
【図４】図４は、本発明を実施するための最良の形態として示すカラー液晶表示装置の一例における概略断面構成図である。
【図５】図５（ａ）は、拡散板に入射する光の光量分布を示したグラフであり、図５（ｂ）は、本発明の実施の形態で使用する反射部材に設けられた傾斜部近傍の光の様子を模式的に示した図である。
【図６】図６（ａ）は、本発明の実施の形態で使用する反射板の拡大断面図であり、図６（ｂ）は、他の実施の形態で使用する反射板の拡大断面図である。
【図７】図７は、本実施の形態で使用する反射板に設けられた突部付近の光の様子を模式的に示した図である。
【図８】図８（ａ）は、発光ダイオードから出射される光の様子を模式的に示した図であり、図８（ｂ）は、発光ダイオードから出射される光の放射角分布を示した図である。
【図９】図９は、本発明を実施するための最良の形態として示すカラー液晶表示装置を駆動する駆動回路の一例の概略ブロック構成図である。
【図１０】図１０は、従来のバックライト装置における発光ダイオードの配列を示す平面図である。
【図１１】図１１（ａ）は、従来のバックライト装置における拡散板に入射する光の光量分布を示したグラフであり、図１１（ｂ）は、従来のバックライト装置における側面反射板と拡散板付近での光の様子を模式的に示した図である。
【符号の説明】
【００４４】
１０・・反射板、１０ａ・・傾斜部、１０ｂ・・傾斜面、１１・・突部、２１・・発光ダイオード、２１ａ・・光学部品、１００・・液晶表示装置、１１０・・液晶表示パネル、１２０・・バックライト筐体部、１４０・・バックライト装置、θ・・傾斜角度
【図１】
2006301210.tif 000003
【図２】
2006301210.tif 000004
【図３】
2006301210.tif 000005
【図４】
2006301210.tif 000006
【図５】
2006301210.tif 000007
【図６】
2006301210.tif 000008
【図７】
2006301210.tif 000009
【図８】
2006301210.tif 000010
【図９】
2006301210.tif 000011
【図１０】
2006301210.tif 000012
【図１１】
2006301210.tif 000013